(57)【要約】【課題】対象物に対する保護部材の固定を簡便に行うことができる保護部材を提供する。【解決手段】保護部材は、歯科治療用の保護部材であって、延在方向へ引張力が付与された時、引張力の解除後に、厚さ方向における一方側へ湾曲する帯状部材と、帯状部材を対象物へ固定する固定部と、を備える。【選択図】図２
2018029654.tif 000002
【特許請求の範囲】
【請求項１】
歯科治療用の保護部材であって、
延在方向へ引張力が付与された時、前記引張力の解除後に、厚さ方向における一方側へ湾曲する帯状部材と、
前記帯状部材を対象物へ固定する固定部と、を備える保護部材。
【請求項２】
前記帯状部材は、互いに異なる材質で構成される複数の層を有する、請求項１に記載の保護部材。
【請求項３】
前記固定部は、粘着材によって構成される、請求項１または２に記載の保護部材。
【請求項４】
前記固定部は、
前記帯状部材の一端側に設けられたループ部材と、
前記帯状部材の他端側に設けられ、前記ループ部材に係合するフック部材と、を備える、請求項１または２に記載の保護部材。
【請求項５】
前記帯状部材の前記厚さ方向におけるいずれかの面の略全面にわたり前記粘着材が配置され、
前記粘着材の一部は粘着力抑制部材で覆われ、
前記固定部は、前記粘着材のうち、前記粘着力抑制部材から露出した部分によって構成されている、請求項３に記載の保護部材。
【請求項６】
歯科治療用の保護部材のキットであって、
延在方向へ引張力が付与された時、前記引張力の解除後に、厚さ方向における一方側へ湾曲する帯状部材と、
前記帯状部材へ取り付け可能であり、前記帯状部材を対象物へ固定する固定部と、を備える保護部材のキット。
【請求項７】
対象物を保護する保護方法であって、
帯状部材で前記対象物を覆う第１の工程と、
前記帯状部材を前記対象物へ固定する第２の工程と、を備え、
前記第１の工程では、
前記対象物に対向するように帯状部材を配置し、前記帯状部材の延在方向へ当該帯状部材に引張力を付与した後、前記引張力を解除することで、前記帯状部材を厚さ方向における一方側へ湾曲させて、前記対象物を覆う、保護方法。
【請求項８】
前記帯状部材で覆われた前記対象物の凹部へ、充填剤を充填する第３の工程をさらに備える、請求項７に記載の保護方法。
【発明の詳細な説明】
【技術分野】
【０００１】
本発明は、対象物を保護する保護部材、保護部材のキット、及び保護方法に関する。
【背景技術】
【０００２】
対象物を保護する保護部材として、特許文献１に示すものが知られている。この保護部材は、互いに対向する一対の対象物間に挟まれて、充填剤の充填対象となる対象物を覆うように配置される。これにより、充填剤が充填対象以外の対象物側へ流れることを防止している。
【先行技術文献】
【特許文献】
【０００３】
【特許文献１】特開２００４−１３５７２０号公報
【発明の概要】
【発明が解決しようとする課題】
【０００４】
ここで、上述のような保護部材を対象物に対して設置する際には、保護部材の位置を所定の位置に固定する必要があった。また、そのような対象物に対する保護部材の固定を簡便に行うことが要請されていた。
【課題を解決するための手段】
【０００５】
本発明の一側面に係る保護部材は、歯科治療用の保護部材であって、延在方向へ引張力が付与された時、引張力の解除後に、厚さ方向における一方側へ湾曲する帯状部材と、帯状部材を対象物へ固定する固定部と、を備える。
【０００６】
このような側面においては、対象物に対して帯状部材を設置し、当該場所にて帯状部材を延在方向へ引張力を付与して、当該引張力を解除する。この場合、帯状部材が厚さ方向における一方側へ湾曲することで、簡便な操作にて、対象物の周囲を帯状部材で取り囲むことができる。また、このように帯状部材で対象物を取り囲んだ状態であるため、帯状部材を固定部によって簡便に対象物へ固定することができる。以上により、対象物に対する保護部材の固定を簡便に行うことができる。
【発明の効果】
【０００７】
本発明によれば、対象物に対する保護部材の固定を簡便に行うことができる。
【図面の簡単な説明】
【０００８】
【図１】図１は、実施形態に係る保護部材の外観を示す図である。
【図２】図２は、保護部材の使用状態を示す図である。
【図３】図３は、帯状部材が湾曲する理由を説明するための概念図である。
【図４】図４は、保護部材による保護方法の工程を示す概略図である。
【図５】図５は、保護部材による保護方法の工程を示す概略図である。
【図６】図６は、保護部材のキットを示す図である。
【図７】図７は、変形例に係る保護部材を示す図である。
【図８】図８は、変形例に係る保護部材を示す図である。
【図９】図９は、変形例に係る保護部材を示す図である。
【図１０】図１０は、変形例に係る保護部材を示す図である。
【図１１】図１１は、変形例に係る保護部材を示す図である。
【発明を実施するための形態】
【０００９】
以下、添付図面を参照しながら本発明の実施形態を詳細に説明する。なお、図面の説明において、同一又は同等の要素には同一の符号を付し、重複する説明を省略する。
【００１０】
まず、図１〜図５を参照して、本実施形態に係る保護部材の構成について説明する。本実施形態に係る保護部材１０は、所定の対象物を保護するための部材である。図２に示すように、保護対象となる対象物の一例として、歯Ｗが挙げられる。この場合、保護部材１０は、歯科治療用の保護部材として用いられる。治療対象となる歯Ｗ１と、当該歯Ｗ１と隣接する歯Ｗ２（治療対象ではない）とが存在している場合、治療対象の歯Ｗ１には、患部に治療具によって凹部が形成され、当該凹部に充填剤が充填される（図５（ｂ）参照）。この際、保護部材１０は、隣接する歯Ｗ２や周辺部に充填剤が付着しないように、治療に係る歯Ｗ１を覆って固定するために用いられる。凹部は歯の間の狭い領域に配置されてよいものであるため、歯Ｗ２や周辺部に充填剤が付着した場合、当該余分な充填剤を除去することは歯科医にとって非常に困難な作業となる。従って、保護部材１０による保護の効果は非常に大きくなる。このような保護部材１０は、図１及び図２に示すように、帯状部材１と、固定部２と、を備えている。なお、以降の説明においては、帯状部材１が延びる方向を「延在方向」とし、帯状部材１の平面方向のうち延在方向と直交する方向を「幅方向」とし、延在方向及び幅方向と直交する方向を「厚さ方向」とする。
【００１１】
帯状部材１は、延在方向へ沿って長尺をなすフィルムによって構成された部材である。本実施形態では、帯状部材１は、延在方向に延びる矩形状の形状を有している。ただし、帯状部材１は、延在方向に延びていればどのような形状であってもよい。帯状部材１は、対象物である歯Ｗ１と歯Ｗ２との間に挟まれるように配置されるため、ある程度の薄さが必要とされ、例えば、厚さが１００μｍ以下であってよく、５０μｍ以下であってよい。また、帯状部材１は、姿勢を保持するため、ある程度の厚さが必要とされ、例えば、厚さが１０μｍ以上であってよく、３０μｍ以上であってよい。
【００１２】
帯状部材１は、歯Ｗ１の一部の外形に追従して変形できる追従性を有する部材である。具体的に、帯状部材１は、延在方向へ引張力が付与された時（図４（ｂ）に示す状態）、引張力の解除後に、厚さ方向における一方側へ湾曲する（図５（ａ）に示す状態）。ここでは、帯状部材１は、厚さ方向における両面１ａ，１ｂのうち、一方の面１ａ側へ湾曲するものとする。このような追従性を発揮するために、図３（ａ）に示すように、帯状部材１は、互いに異なる材質で構成される複数の層を有する。層の数は特に限定されないが、図３（ａ）に示す例では、帯状部材１は第１の層３及び第２の層４の二つの層で構成される。第１の層３と第２の層４は、引張力を付与した時に残存する永久ひずみの量が、互いに異なる材質で構成される。ここでは、第１の層３に残存する永久ひずみの量が、第２の層４に比して大きいものとする。
【００１３】
例えば、図３（ｂ）に示すように、同じ長さに係る第１の層３及び第２の層４に引張力を付与し、同じ長さ分だけ伸ばす。その後、引張力を解除した後の状態は、図３（ｃ）に示すように、第１の層３に残存する永久ひずみが大きく、もとの長さへ収縮する量が小さい。一方、第２の層４に残存する永久ひずみが小さく、もとの長さへ収縮する量が大きい。このような第１の層３と第２の層４とを接合して帯状部材１として構成した場合、図３（ｄ）に示すように、収縮量の大きい第２の層４が、収縮量の小さい第１の層を内側へ引っ張るような状態となることで、帯状部材１全体としては、第２の層４側へ湾曲するように変形する。なお、第１の層３と第２の層４との間の接続方法は特に限定されず、粘着材を用いてもよく、熱融着を用いてもよい。あるいは、一層を金型に配置した状態にて、他方の層を成型することにより、各層を接続してもよい。
【００１４】
帯状部材１の材質は、上述のように永久ひずみに差をつけることができる材質の組み合わせであることが好ましい。また、歯Ｗ１の凹部に充填される充填剤として光硬化性の材料を用いる場合、帯状部材１は、光（例えば、波長４００ｎｍ〜５２０ｎｍの可視光が好ましく、４６０ｎｍ以下の可視光が更に好ましい）を透過させるための透過性を有していてよい。従って、帯状部材１の第１の層３及び第２の層４の何れかを構成する材質として、例えば、ポリウレタン、ポリエチレン、ＥＶＡ、パラフィン、ポリウレタン等を採用してよい。帯状部材１の材質の組み合わせの例を挙げると、「ポリウレタン、ポリエチレン」、「ＥＶＡ、ポリエチレン」、「パラフィン、ポリウレタン」等の組み合わせを挙げることができる。なお、帯状部材１の永久ひずみの差は、材質自体の特性のみならず、厚み等の要素によっても調整されるものである。従って、上述の材質の組み合わせは、どちらが第１の層３であり、どちらが第２の層４であるかについては特に限定されない。
【００１５】
なお、第１の層３及び第２の層４は、両方とも樹脂のフィルムである必要はなく、一方の層が樹脂フィルムで、他方の層が当該樹脂フィルム上に塗布される塗布剤であってもよい。このような塗布剤として、ウレタン、アクリル等を採用してよい。または、何れか一方の層が金属や金属酸化物であってもよい。このような金属層、金属酸化物層として、アルミ、酸化チタン、シリカ等を採用してもよい。ただし、金属の場合は、樹脂に比して光透過性が低下する点に留意する。
【００１６】
固定部２は、帯状部材１を対象物へ固定するためのものである。帯状部材１を対象物へ固定できる構造であれば、固定部２の構成はどのようなものであってもよい。固定方法としては、固定専用の部材を用いる方法（例えば後述の図１０参照）、歯自体に固定する方法、及び帯状部材１に固定する方法（例えば後述の図１１（ｂ）参照）が挙げられる。本実施形態では固定部２を歯自体に固定する方法が採用される。本実施形態では、固定部２は、粘着材６によって構成される（他の構成については後述する）。粘着材６は、帯状部材１のうち、湾曲する側の一方の面１ａに設けられる。また、粘着材６は帯状部材１の延在方向における両端部にそれぞれ配置される。一対の粘着材６は、それぞれ矩形状のシートとして帯状部材１の一方の面１ａに設けられている。粘着材６は、未使用時においては表面が剥離シートで覆われており、使用時においては当該剥離シートを剥がすことによって、粘着面を露出させる。これによって、歯Ｗ１に一対の粘着材６を貼り付け、帯状部材１を歯Ｗ１に対して固定できる。
【００１７】
ここで、保護部材１０の流通時における構成について説明する。流通時においては、保護部材１０は、帯状部材１の両端に固定部２の粘着材６が設けられた状態であってもよい。または、図６に示すように、保護部材のキット１００の状態で流通してもよい。保護部材のキット１００は、延在方向へ引張力が付与された時、引張力の解除後に、厚さ方向における一方側へ湾曲する帯状部材１と、帯状部材１へ取り付け可能であり、帯状部材１を対象物へ固定する固定部２と、を備える。このようなキット１００は、使用時には、帯状部材１に固定部２を取り付け、保護部材１０として組み立てることによって使用される。
【００１８】
次に、図４及び図５を参照して、本実施形態に係る保護部材１０を用いた保護方法について説明する。まず、歯Ｗの患部を治療具で削ることによって凹部Ｈを形成する。次に、帯状部材１で歯Ｗ１を覆う第１の工程を実行する。第１の工程では、歯Ｗ１に対向するように帯状部材１を配置し、帯状部材１の延在方向へ当該帯状部材１に引張力を付与した後、引張力を解除することで、帯状部材１を厚さ方向における一方側へ湾曲させて、歯Ｗ１を覆う。
【００１９】
この第１の工程においては、図４（ａ）に示すように、歯Ｗ１の凹部Ｈと保護部材１０の一方の面１ａとが対向するように、歯Ｗ１に対して保護部材１０を配置する。そして、図４（ｂ）に示すように、帯状部材１の両端を手で引っ張ることで、当該帯状部材１に引張力を付与し、所定量だけ伸ばした後、帯状部材１への引張力を解除する。これによって、図５（ａ）に示すように、帯状部材１が一方の面１ａ側に湾曲することで、歯Ｗ１の外形に沿って追従するように変形する。これによって、帯状部材１によって歯Ｗ１が覆われる。なお、予め帯状部材１を伸ばした後、当該伸ばした状態の帯状部材１を歯Ｗ１に対して配置し、その後、引張力を解除してよい。
【００２０】
次に、帯状部材１を歯Ｗ１へ固定する第２の工程が実行される。第２の工程においては、図５（ｂ）に示すように、固定部２として帯状部材１の両端部に設けられている粘着材６を歯Ｗ１に対して貼り付ける。次に、帯状部材１で覆われた歯Ｗ１の凹部Ｈへ、充填剤Ｆを充填する第３の工程が実行される。充填剤Ｆとして、歯科治療用の修復材を用いてよく、具体的にはアクリル酸、シリカ等の成分を含む充填剤が用いられる。なお、充填剤Ｆは、低粘性のものが好ましい。低粘性の充填剤Ｆであれば、歯Ｗ１の凹部Ｈへ勘合し易い。特に、充填剤Ｆは、ポリマー性メタアクリレート樹脂、フィラー（例えばシリコーンの様な無機フィラー）及びイニシエーター、ピグメント等を含む事が好ましい。これらの材料を用いることで、充填剤Ｆが他の歯へ付着することを抑制できる。第３の工程では、凹部Ｈへ向けて充填器具５０を設置し、当該充填器具５０から充填剤Ｆを排出することで、凹部Ｈに充填剤Ｆを充填する。この際、保護部材１０が歯Ｗ１の凹部Ｈを覆っているため、充填剤Ｆが他の歯へ付着することが防止される。充填後、保護部材１０の外部から凹部Ｈに充填された充填剤Ｆに対して光を照射することによって、充填剤Ｆを硬化する。当該硬化の終了後、保護部材１０が歯Ｗ１から除去される。以上により、本実施形態に係る保護方法が終了する。
【００２１】
次に、本実施形態に係る保護部材１０の作用・効果について説明する。
【００２２】
例えば、比較例として、引張力を付与しても湾曲しない帯状部材１と、当該帯状部材１とは別体として構成された固定具と、を備える保護部材が挙げられる。この保護部材を取り付ける場合、帯状部材１が歯Ｗ１と歯Ｗ２の間の隙間で真っ直ぐに延びている状態から、作業者が手作業で帯状部材１を歯Ｗ１に沿って折り曲げる必要がある。また、作業者は、折り曲げた状態を手で押さえて維持しながら、固定具で保護部材を歯Ｗ１に固定する固定する必要がある。このように、比較例に係る保護部材は、歯Ｗ１への取り付けに手間が係る。
【００２３】
本実施形態に係る保護部材１０では、歯Ｗ１に対して帯状部材１を設置し、当該場所にて帯状部材１を延在方向へ引張力を付与して、当該引張力を解除する。この場合、帯状部材１が厚さ方向における一方側へ湾曲することで、簡便な操作にて、歯Ｗ１の周囲を帯状部材１で取り囲むことができる。また、このように帯状部材１で歯Ｗ１を取り囲んだ状態であるため、帯状部材１を固定部２によって簡便に対象物へ固定することができる。本実施形態では、予め帯状部材１が歯Ｗ１に沿って変形しており、当該変形した状態が維持されたままの状態で、作業者は固定部で保護部材を歯Ｗ１に固定するだけでよい。以上により、歯Ｗ１に対する保護部材１０の固定を簡便に行うことができる。
【００２４】
帯状部材１は、互いに異なる材質で構成される複数の層を有する。これにより、帯状部材１に引張力を付与することで、歯Ｗ１に追従して変形させることができる。
【００２５】
固定部２は、粘着材６によって構成される。これにより、粘着材６を歯Ｗ１に対して押し付けるだけの簡便な作業で、保護部材１０を歯Ｗ１に固定することができる。
【００２６】
本実施形態に係る保護部材のキットは、歯科治療用の保護部材のキットであって、延在方向へ引張力が付与された時、引張力の解除後に、厚さ方向における一方側へ湾曲する帯状部材と、帯状部材へ取り付け可能であり、帯状部材を対象物へ固定する固定部と、を備える。
【００２７】
この保護部材のキットによれは、上述の保護部材１０と同様な作用・効果を得ることができる。
【００２８】
本実施形態に係る保護方法は、対象物を保護する保護方法であって、帯状部材で対象物を覆う第１の工程と、帯状部材を対象物へ固定する第２の工程と、を備え、第１の工程では、対象物に対向するように帯状部材を配置し、帯状部材の延在方向へ当該帯状部材に引張力を付与した後、引張力を解除することで、帯状部材を厚さ方向における一方側へ湾曲させて、対象物を覆う。
【００２９】
この保護方法によれば、上述の保護部材１０と同様な作用・効果を得ることができる。
【００３０】
保護方法は、帯状部材１で覆われた歯Ｗ１の凹部Ｈへ、充填剤Ｆを充填する第３の工程をさらに備える。
【００３１】
本発明は、上述の実施形態に限定されない。
【００３２】
例えば、固定部の構成は、上述の粘着材６に限定されない。例えば、図７及び図８に示すように、固定部２は、帯状部材１の一端側に設けられたループ部材１６と、帯状部材１の他端側に設けられ、ループ部材１６に係合するフック部材１７と、を備える。図７に示すように、帯状部材１の一端側における一方の面１ａにループ部材１６が設けられ、帯状部材１の他端側における他方の面１ｂにフック部材１７が設けられる。ループ部材１６は、図７（ｃ）に示すように、複数のループ３１と、当該ループ３１を支持するベース部３２と、ベース部３２を帯状部材１に固定する粘着部３３と、を備える。フック部材１７は、図７（ｂ）に示すように、複数のフック２１と、当該フック２１を支持するベース部２２と、ベース部２２を帯状部材１に固定する粘着部２３と、を備える。このような保護部材１０では、帯状部材１で歯Ｗ１を覆った後、フック部材１７とループ部材１６とを接合することで、フック２１がループ３１に係合し、帯状部材１が歯Ｗ１を締め付けた状態が維持されることで、保護部材１０が歯Ｗ１に固定される。
【００３３】
なお、フック部材１７及びループ部材１６を用いる場合は、図８に示すような形状を採用してよい。具体的に、帯状部材１の一端部及びフック部材１７には、幅方向の大きさが狭くされた幅狭部４１が形成され、帯状部材１の他端部及びループ部材１６には、幅狭部４１を通過させるためのスリット部４２が形成される。これにより、帯状部材１で歯Ｗ１を締め付けるときは、幅狭部４１がスリット部４２に挿入され、フック部材１７とループ部材１６が接合されることで、保護部材１０が歯Ｗ１に固定される。
【００３４】
また、固定部２は、例えば、帯状部材１自体に形成された粘着層によって構成されてもよい。例えば、表面に極小のビーズが設けられた粘着面を有する粘着層を帯状部材１の面１ａに形成する。この場合、歯Ｗ１を帯状部材１で覆った後、帯状部材１を歯Ｗ１に押し付けると、ビーズによって歯Ｗ１の表面から離間していた粘着面が、当該歯Ｗ１の表面と接触し、固定される。
【００３５】
その他、固定部として、図９のような構成を採用してよい。図９に示す保護部材６０では、帯状部材６１の厚さ方向におけるいずれかの面の略全面にわたり粘着材６２が配置されている。また、粘着材６２の延在方向における中央側の一部は粘着力抑制部材６３で覆われている。粘着力抑制部材６３は、剥離材のように粘着材６２から剥離可能なシートではなく、粘着材６２に固定されたシートである。このような構成によって、固定部６４は、粘着材６２のうち、粘着力抑制部材６３から露出した部分によって構成されている。ここでは、延在方向における両端部にて粘着材６２が露出しているため、固定部６４は、帯状部材６１の延在方向における両端部に形成される。なお、粘着材６２が帯状部材６１の永久ひずみに影響を及ぼす場合は、粘着材６２も帯状部材６１を構成する一の層であると見なしてよい。ただし、粘着材６２が薄すぎるなどによって、永久ひずみに影響を及ぼさない場合は、粘着材６２は帯状部材６１の一の層と見なさなくてもよい。なお、粘着力抑制部材６３も、永久ひずみに影響を及ぼす場合は帯状部材６１の一の層と見なしてよいが、永久ひずみに影響を及ぼさない場合は、帯状部材６１の一の層と見なさなくてもよい。
【００３６】
また、固定部として、図１０のような構成を採用してよい。図１０に示す保護部材７０では、固定部は、帯状部材７１の延在方向における両端部に形成された一対の固定部材７３と、帯状部材７１と別体である支持部材７２に形成された一対の固定部材７４と、によって構成される。なお、帯状部材７１側の固定部材７３は、フック部材及びループ部材のいずれか一方であり、支持部材７２側の固定部材７４は、フック部材及びループ部材のいずれか他方である。また、支持部材７２はゴムや樹脂等によって構成される。このように構成された保護部材７０で歯Ｗ１を覆う場合、図１０（ｂ）に示すように、支持部材７２を歯Ｗ１にセットする。そして、帯状部材７１で歯Ｗ１を覆うとともに、帯状部材７１の固定部材７３を支持部材７２の固定部材７４に固定する。これによって、帯状部材７１が歯Ｗ１に固定される。
【００３７】
また、図１１（ａ）に示すように、帯状部材１が複数の歯（ここでは歯Ｗ１及び歯Ｗ２）を取り囲み、粘着材６が、歯Ｗ２に固定されてもよい。また、図１１（ｂ）に示すように、粘着材６は、歯Ｗ１を取り囲んだ帯状部材１自体に固定されてもよい。
【００３８】
また、上述の実施形態では、対象物として歯が例示されており、保護部材１０も歯科治療用の保護部材として使用されていたが、対象物は特に限定されない。例えば、対象物としてバンパー、ミラーなどの自動車外装樹脂部品の補修を採用してよい。
【００３９】
［形態１］
歯科治療用の保護部材であって、
延在方向へ引張力が付与された時、前記引張力の解除後に、厚さ方向における一方側へ湾曲する帯状部材と、
前記帯状部材を対象物へ固定する固定部と、を備える保護部材。
【００４０】
［形態２］
前記帯状部材は、互いに異なる材質で構成される複数の層を有する、形態１に記載の保護部材。
【００４１】
［形態３］
前記固定部は、粘着材によって構成される、形態１または２に記載の保護部材。
【００４２】
［形態４］
前記固定部は、
前記帯状部材の一端側に設けられたループ部材と、
前記帯状部材の他端側に設けられ、前記ループ部材に係合するフック部材と、を備える、形態１または２に記載の保護部材。
【００４３】
［形態５］
前記帯状部材の前記厚さ方向におけるいずれかの面の略全面にわたり前記粘着材が配置され、
前記粘着材の一部は粘着力抑制部材で覆われ、
前記固定部は、前記粘着材のうち、前記粘着力抑制部材から露出した部分によって構成されている、形態３に記載の保護部材。
【００４４】
［形態６］
歯科治療用の保護部材のキットであって、
延在方向へ引張力が付与された時、前記引張力の解除後に、厚さ方向における一方側へ湾曲する帯状部材と、
前記帯状部材へ取り付け可能であり、前記帯状部材を対象物へ固定する固定部と、を備える保護部材のキット。
【００４５】
［形態７］
対象物を保護する保護方法であって、
帯状部材で前記対象物を覆う第１の工程と、
前記帯状部材を前記対象物へ固定する第２の工程と、を備え、
前記第１の工程では、
前記対象物に対向するように帯状部材を配置し、前記帯状部材の延在方向へ当該帯状部材に引張力を付与した後、前記引張力を解除することで、前記帯状部材を厚さ方向における一方側へ湾曲させて、前記対象物を覆う、保護方法。
【００４６】
［形態８］
前記帯状部材で覆われた前記対象物の凹部へ、充填剤を充填する第３の工程をさらに備える、形態７に記載の保護方法。
【００４７】
［形態９］
前記帯状部材は、ポリウレタンの層、及びポリエチレンの層で構成される、形態２に記載の保護部材。
【００４８】
［形態１０］
前記帯状部材は、ＥＶＡの層、及びポリエチレンの層で構成される、形態２に記載の保護部材。
【００４９】
［形態１１］
前記帯状部材は、パラフィンの層、及びポリウレタンの層で構成される、形態２に記載の保護部材。
【００５０】
［形態１２］
前記帯状部材の層は、他の層にとふされる塗布剤である、形態２に記載の保護部材。
【００５１】
［形態１３］
前記ループ部材は、前記帯状部材の一方の面に形成され、前記フック部材は、前記帯状部材の他方の面に形成される、形態４に記載の保護部材。
【００５２】
［形態１４］
固定部は、前記帯状部材の一方の面に形成された粘着面によって構成され、
前記粘着面の表面にはビーズが配置される、形態１に記載の保護部材。
【００５３】
［形態１５］
前記帯状部材は、光を透過させる透過性を有する、形態１に記載の保護部材。
【符号の説明】
【００５４】
１…帯状部材、２…固定部、３，４…層、６…粘着材、１０，６０，７０…保護部材、１６…ループ部材、１７…フック部材。
【図１】
2018029654.tif 000003
【図２】
2018029654.tif 000004
【図３】
2018029654.tif 000005
【図４】
2018029654.tif 000006
【図５】
2018029654.tif 000007
【図６】
2018029654.tif 000008
【図７】
2018029654.tif 000009
【図８】
2018029654.tif 000010
【図９】
2018029654.tif 000011
【図１０】
2018029654.tif 000012
【図１１】
2018029654.tif 000013